(57)【特許請求の範囲】
【請求項１】
電子チラシを表示するとともに、ユーザの操作に応じて該電子チラシの構成部品に対応付けて設定されたアクションを実行する電子チラシ表示装置であって、
第１の記憶領域に格納される画面イメージデータを表示する表示手段と、
電子チラシデータを読込み、電子チラシの構成部品を、電子チラシ表示装置が扱う取扱対象オブジェクトである構成部品オブジェクトとして定義して第２の記憶領域に格納する電子チラシ初期化手段と、
前記電子チラシデータに付随する設定情報を読込み、前記構成部品オブジェクトのいくつかについて、該構成部品オブジェクトに付帯して引き起こされるアクションの内容と、表示倍率レンジの条件及び動作開始条件を含む前記アクションが活性化される活性化条件とを設定するアクション設定手段と、
表示中の電子チラシに対する対話操作を入力する操作入力手段と、
前記第２の記憶領域に格納されている前記構成部品オブジェクトを読み出して、電子チラシの初期表示条件、または前記対話操作入力に従った電子チラシの画面イメージデータを作成して前記第１の記憶領域に格納する表示制御手段と、
前記対話操作の入力によって前記活性化条件を満たす前記構成部品オブジェクトが存在するとき、該構成部品オブジェクトに対して設定されたアクションを実行する動作制御手段と、
を備えることを特徴とする電子チラシ表示装置。
【請求項２】
前記動作開始条件は、前記アクション設定手段によりアクションが設定されたいずれかの構成部品オブジェクトが表示中または新たに表示されたという状態を含む請求項１に記載の電子チラシ表示装置。
【請求項３】
前記動作開始条件は、前記アクション設定手段によりアクションが設定されたいずれかの構成部品オブジェクトがマウスクリックされたという状態を含むことを特徴とする請求項１に記載の電子チラシ表示装置。
【請求項４】
前記動作開始条件は、前記アクション設定手段によりアクションが設定されたいずれかの構成部品オブジェクトがマウスオーバーされたという状態を含むことを特徴とする請求項１に記載の電子チラシ表示装置。
【請求項５】
前記アクションの内容は、特定のファイルのオープン、特定のプログラムの実行、または特定のインターネットリソースの要求及び表示のいずれかを指定する情報、或いは新たな構成部品オブジェクトの追加、特定の構成部品オブジェクトの削除、特定の構成部品オブジェクトの有効化、無効化、属性値の変更のいずれかを指定する情報を含むものであることを特徴とする請求項１に記載の電子チラシ表示装置。
【請求項６】
前記電子チラシ初期化手段は、前記表示制御手段の制御対象とならないオブジェクトであるバナーオブジェクトをも取扱対象オブジェクトとして定義し、第３の記憶領域に格納するものであって、該第３の記憶領域に格納されたバナーオブジェクトからバナーイメージを作成して、前記第１の記憶領域に格納される画面イメージに該バナーイメージを重畳するバナー表示手段を含むことを特徴とする請求項１に記載の電子チラシ表示装置。
【請求項７】
前記アクションの内容は、新たなバナーオブジェクトを追加すること、特定のバナーオブジェクトを消去すること、特定のバナーオブジェクトを有効化すること、及び特定のバナーオブジェクトを無効化することのうち１つ以上を含むものであることを特徴とする請求項６に記載の電子チラシ表示装置。
【請求項８】
電子チラシを表示するとともに、ユーザの操作に応じて該電子チラシの構成部品に対応付けて設定されたアクションを実行する電子チラシ表示方法であって、
第１の記憶領域に格納される画面イメージデータを表示する表示ステップと、
電子チラシデータを読込み、電子チラシの構成部品を構成部品オブジェクトとして定義して第２の記憶領域に格納する電子チラシ初期化ステップと、
前記電子チラシデータに付随する設定情報を読込み、前記構成部品オブジェクトのいくつかについて、該構成部品オブジェクトに付帯して引き起こされるアクションの内容と、表示倍率レンジの条件及び動作開始条件を含む前記アクションが活性化される活性化条件とを設定するアクション設定ステップと、
表示中の電子チラシに対する対話操作を入力する操作入力ステップと、
前記第２の記憶領域に格納されている前記構成部品オブジェクトを読み出して、電子チラシの初期表示条件、または前記対話操作入力に従った電子チラシの画面イメージデータを作成して前記第１の記憶領域に格納する表示制御ステップと、
前記対話操作の入力によって前記活性化条件を満たす前記構成部品オブジェクトが存在するとき、該構成部品オブジェクトに対して設定されたアクションを実行する動作制御ステップと、
を含むことを特徴とする電子チラシ表示方法。
【請求項９】
コンピュータにより読み取り可能な形式で記述されたプログラムであって、
第１の記憶領域に格納される画面イメージデータを表示する表示ステップと、
電子チラシデータを読込み、電子チラシの構成部品を構成部品オブジェクトとして定義して第２の記憶領域に格納する電子チラシ初期化ステップと、
前記電子チラシデータに付随する設定情報を読込み、前記構成部品オブジェクトのいくつかについて、該構成部品オブジェクトに付帯して引き起こされるアクションの内容と、表示倍率レンジの条件及び動作開始条件を含む前記アクションが活性化される活性化条件とを設定するアクション設定ステップと、
表示中の電子チラシに対する対話操作を入力する操作入力ステップと、
前記第２の記憶領域に格納されている前記構成部品オブジェクトを読み出して、電子チラシの初期表示条件、または前記対話操作入力に従った電子チラシの画面イメージデータを作成して前記第１の記憶領域に格納する表示制御ステップと、
前記対話操作の入力によって前記活性化条件を満たす前記構成部品オブジェクトが存在するとき、該構成部品オブジェクトに対して設定されたアクションを実行する動作制御ステップと、
を含む処理をコンピュータに実行させることを特徴とするプログラム。
【発明の詳細な説明】
【技術分野】
【０００１】
本発明は、販促用動画等の詳細情報コンテンツと連携した電子チラシを表示するための電子チラシ表示装置等に関する。
【背景技術】
【０００２】
現在、紙媒体のチラシを電子化し、ＰＣ（パーソナルコンピュータ）、デジタルテレビ、携帯電話、モバイル端末、通信機能搭載のゲーム機等で閲覧可能とした電子チラシが実用化されている。電子チラシは、ビューアと呼ばれる閲覧アプリケーションによって閲覧される。一般的な電子チラシ用ビューアでは、画像の拡大縮小、スクロール機能等に加えて、画像の特定の位置で特定の操作（例えば、マウスクリック）を行うことにより、別のＷＥＢサイトにリンクするリンク機能を有する。このようなリンク機能を活用し、電子チラシに掲載されている商品ごとに、ＥＣサイトの商品購入ページへ誘導する試みがなされている。
【０００３】
例えば、特許文献１には、電子チラシの掲載物の詳細表示アイコンを指示すると、詳細情報アイコンにハイパーリンクされた静止画、テキスト、動画、データ、または電子出版物が提供されることが記載されている。
また、特許文献２には、ＤＴＰ（Ｄｅｓｋ  Ｔｏｐ  Ｐｕｂｌｉｓｈｉｎｇ）システムによって編集された原稿データから、紙面における構成部品（文字ボックス、画像等）の属性情報（文字ボックスであれば文字のフォント、スタイル、サイズ、カラー等、画像であれば画像ファイルの拡張子、ファイル名、ファイル名の文字数等）に基づいて、位置情報（構成部品の領域が矩形であれば始点座標と終点座標）を効率よく取得する技術が記載されている。また、取得した構成部品の位置情報の利用形態の１つとして、リンク情報を設定する技術が記載されている。
【先行技術文献】
【特許文献】
【０００４】
【特許文献１】特開２００６−２７７２９７号公報
【特許文献２】特開２００５−２０８７０６号公報
【発明の概要】
【発明が解決しようとする課題】
【０００５】
しかしながら、電子チラシの特定のエリアや構成部品にリンク情報を設定すると、ビューアの縮小表示機能を利用して電子チラシを縮小表示させた場合に、チラシ面に設定されたリンクエリアも縮小されており、判別困難となることがあった。また、縮小された小さなエリアに対してマウス等の入力操作を行う必要があるため、操作が困難で誤って他のリンクをクリック操作してしまうことがあった。一方、チラシを閲覧する際、ユーザは、チラシ全体を眺めたいときは全体が表示されるよう縮小表示し、掲載されている商品のうち特定の商品を熟視したいときはその商品を拡大表示する傾向がある。
【０００６】
本発明は、このような課題に鑑みてなされたもので、ユーザの閲覧意図に応じた動作を、電子チラシの操作に連動して行うことを可能とし、これにより電子チラシの操作性を向上させることが可能な電子チラシ表示装置等を提供することを目的とする。
【課題を解決するための手段】
【０００７】
前述した課題を解決するため第１の発明は、電子チラシを表示するとともに、ユーザの操作に応じて該電子チラシの構成部品に対応付けて設定されたアクションを実行する電子チラシ表示装置であって、第１の記憶領域に格納される画面イメージデータを表示する表示手段と、電子チラシデータを読込み、電子チラシの構成部品を、電子チラシ表示装置が扱う取扱対象オブジェクトである構成部品オブジェクトとして定義して第２の記憶領域に格納する電子チラシ初期化手段と、
前記電子チラシデータに付随する設定情報を読込み、前記構成部品オブジェクトのいくつかについて、該構成部品オブジェクトに付帯して引き起こされるアクションの内容と、表示倍率レンジの条件及び動作開始条件を含む前記アクションが活性化される活性化条件とを設定するアクション設定手段と、表示中の電子チラシに対する対話操作を入力する操作入力手段と、前記第２の記憶領域に格納されている前記構成部品オブジェクトを読み出して、電子チラシの初期表示条件、または前記対話操作入力に従った電子チラシの画面イメージデータを作成して前記第１の記憶領域に格納する表示制御手段と、前記対話操作の入力によって前記活性化条件を満たす前記構成部品オブジェクトが存在するとき、該構成部品オブジェクトに対して設定されたアクションを実行する動作制御手段と、を備えることを特徴とする電子チラシ表示装置である。
【０００８】
第１の発明の電子チラシ表示装置では、電子チラシの構成部品を構成部品オブジェクトとして読み込み、また、前記構成部品オブジェクトのいくつかについて、該構成部品オブジェクトに付帯して引き起こされるアクションの内容と該アクションが活性化される活性化条件とを設定しておく。活性化条件は表示倍率レンジの条件及び動作開始条件を含むものとする。また、表示制御手段は、表示中の電子チラシに対する対話操作が入力されると前記構成部品オブジェクトを読み出して、電子チラシの初期表示条件、または前記対話操作入力に従った電子チラシの画面イメージデータを作成して表示する。このとき、動作制御手段は、前記対話操作の入力によって前記活性化条件を満たす前記構成部品オブジェクトが存在すれば、該構成部品オブジェクトに対して設定されたアクションを実行する。
【０００９】
これにより、電子チラシへの操作に連動して異なる動作を行わせることが可能となる。そのためユーザの閲覧意図に応じた円滑な動作切り替えを行うことが可能となり、操作性が向上する。また、より動的な表示が可能となるため興趣あふれる電子チラシを提供でき、販促効果の向上が期待できる。
【００１０】
また、前記活性化条件は、表示倍率レンジの条件及び動作開始条件を含むので、ユーザによる拡大・縮小操作に連動して提示する情報を変化させることができる。そのため、商品を詳しく見るために特定の商品（構成部品）やエリアを拡大表示させる場合と、電子チラシの紙面全体を眺めるために縮小表示される場合とで、異なる動作を実行させることが可能となる。従来の電子チラシ表示装置であれば、ひとつの構成部品に対してはその表示倍率とは関係なくリンク情報（アクション）が対応付けられていたが、本発明では、同一の構成部品に対して複数のアクションを連携させることが可能となるため、一つの電子チラシから連携される情報量が多様となり、より動的で興趣あふれる電子チラシを提供できる。ひいては販促効果の向上が期待できる。
【００１１】
また、第１の発明において、前記動作開始条件は、前記アクション設定手段によりアクションが設定されたいずれかの構成部品オブジェクトが表示中または新たに表示されたという状態を含むことが望ましい。
これにより、構成部品オブジェクトが所定の表示倍率で表示されれば、それをトリガとして設定されたアクションが実行されるため、ユーザの電子チラシの閲覧意図に応じた動作を、紙面の表示倍率変更操作に連動して円滑に行うことが可能となる。
【００１２】
また、第１の発明において、前記動作開始条件は、前記アクション設定手段によりアクションが設定されたいずれかの構成部品オブジェクトがマウスクリックされたという状態を含むことが望ましい。
また、前記動作開始条件は、前記アクション設定手段によりアクションが設定されたいずれかの構成部品オブジェクトがマウスオーバーされたという状態を含むこととしてもよい。
マウスクリックされたという状態を動作開始条件とする場合には、マウスクリックのようにユーザの意図を明確に表す操作によって所定のアクションを開始させることができるため、ユーザにとって必要な情報を確実に提示できる。
また、マウスオーバーされたという状態を動作開始条件とする場合には、電子チラシを閲覧するユーザがマウスを移動する操作を行うだけで円滑かつ能動的に所定のアクションを開始させることができるので、マウスクリックのようにユーザの意図を明確に表す操作でなくても、関連する情報をユーザに提示でき、広告・宣伝効果の向上に寄与できる。
【００１３】
また、前記アクションの内容は、特定のファイルのオープン、特定のプログラムの実行、または特定のインターネットリソースの要求及び表示のいずれかを指定する情報、或いは新たな構成部品オブジェクトの追加、特定の構成部品オブジェクトの削除、特定の構成部品オブジェクトの有効化、無効化、属性値の変更のいずれかを指定する情報を含むものであることが望ましい。これにより、電子チラシの操作に連動して詳細画像等の特定のファイルを開いて提示したり、特定のプログラムを実行したり、インターネットリソースにアクセスして必要な情報を取得・表示できるようになる。また、電子チラシの操作に連動して、存在しなかった構成部品オブジェクトを出現させたり、存在していた構成部品オブジェクトを削除したり、表示されていなかった構成部品オブジェクトを表示したり、表示されていた構成部品オブジェクトを非表示としたり、属性値の一つである商品画像のリンク先情報を変更して、異なる商品画像を該構成部品オブジェクトとして表示させたりすることも可能となる。
【００１４】
また、第１の発明において、前記電子チラシ初期化手段は、前記表示制御手段の制御対象とならないオブジェクトであるバナーオブジェクトをも取扱対象オブジェクトとして定義し、第３の記憶領域に格納するものであって、該第３の記憶領域に格納されたバナーオブジェクトからバナーイメージを作成して、前記第１の記憶領域に格納される画面イメージに該バナーイメージを重畳するバナー表示手段を含むことが望ましい。
これにより、電子チラシに加え、関連する情報や告知情報等をバナーイメージとして表示できるようになり、情報が多様化し、また閲覧しやすく表示できる。
【００１５】
また、前記アクションの内容は、新たなバナーオブジェクトを追加すること、特定のバナーオブジェクトを消去すること、特定のバナーオブジェクトを有効化すること、及び特定のバナーオブジェクトを無効化することのうち１つ以上を含むことが望ましい。
これにより、電子チラシを閲覧するユーザが表示倍率変更操作や所定の操作を行うことによって、ある構成部品オブジェクトが表示倍率レンジの条件と動作開始条件を満たせば、特定のバナーを表示させたり、消去させたり、有効化、無効化させたりすることが可能となる。これにより、電子チラシのバナーオブジェクトをも動作制御でき、動的で閲覧性よく情報を表示できる。
【００１６】
第２の発明は、電子チラシを表示するとともに、ユーザの操作に応じて該電子チラシの構成部品に対応付けて設定されたアクションを実行する電子チラシ表示方法であって、第１の記憶領域に格納される画面イメージデータを表示する表示ステップと、電子チラシデータを読込み、電子チラシの構成部品を構成部品オブジェクトとして定義して第２の記憶領域に格納する電子チラシ初期化ステップと、前記電子チラシデータに付随する設定情報を読込み、前記構成部品オブジェクトのいくつかについて、該構成部品オブジェクトに付帯して引き起こされるアクションの内容と、表示倍率レンジの条件及び動作開始条件を含む前記アクションが活性化される活性化条件とを設定するアクション設定ステップと、表示中の電子チラシに対する対話操作を入力する操作入力ステップと、前記第２の記憶領域に格納されている前記構成部品オブジェクトを読み出して、電子チラシの初期表示条件、または前記対話操作入力に従った電子チラシの画面イメージデータを作成して前記第１の記憶領域に格納する表示制御ステップと、前記対話操作の入力によって前記活性化条件を満たす前記構成部品オブジェクトが存在するとき、該構成部品オブジェクトに対して設定されたアクションを実行する動作制御ステップと、を含むことを特徴とする電子チラシ表示方法である。
【００１７】
第２の発明によれば、電子チラシの構成部品を構成部品オブジェクトとして読み込み、また、前記構成部品オブジェクトのいくつかについて、該構成部品オブジェクトに付帯して引き起こされるアクションの内容と該アクションが活性化される活性化条件とを設定しておき、表示中の電子チラシに対する対話操作が入力されると前記構成部品オブジェクトを読み出して、電子チラシの初期表示条件、または前記対話操作入力に従った電子チラシの画面イメージデータを作成して表示する。活性化条件は、表示倍率レンジの条件及び動作開始条件を含むものとする。前記対話操作の入力によって前記活性化条件を満たす前記構成部品オブジェクトが存在すれば、該構成部品オブジェクトに対して設定されたアクションを実行する。
【００１８】
これにより、電子チラシの操作に連動して異なる動作を行わせることが可能となる。そのためユーザの閲覧意図に応じた円滑な動作切り替えを行うことが可能となり、操作性が向上する。また、より動的な表示が可能となるため興趣あふれる電子チラシを提供でき、販促効果の向上が期待できる。活性化条件は、表示倍率レンジの条件及び動作開始条件を含むため、ユーザによる拡大・縮小操作に連動して提示する情報を変化させることができ、商品を詳しく見るために特定の商品（構成部品）やエリアを拡大表示させる場合と、電子チラシの紙面全体を眺めるために縮小表示される場合とで、異なる動作を実行させることが可能となる。
【００１９】
第３の発明は、コンピュータにより読み取り可能な形式で記述されたプログラムであって、第１の記憶領域に格納される画面イメージデータを表示する表示ステップと、電子チラシデータを読込み、電子チラシの構成部品を構成部品オブジェクトとして定義して第２の記憶領域に格納する電子チラシ初期化ステップと、前記電子チラシデータに付随する設定情報を読込み、前記構成部品オブジェクトのいくつかについて、該構成部品オブジェクトに付帯して引き起こされるアクションの内容と、表示倍率レンジの条件及び動作開始条件を含む前記アクションが活性化される活性化条件とを設定するアクション設定ステップと、表示中の電子チラシに対する対話操作を入力する操作入力ステップと、前記第２の記憶領域に格納されている前記構成部品オブジェクトを読み出して、電子チラシの初期表示条件、または前記対話操作入力に従った電子チラシの画面イメージデータを作成して前記第１の記憶領域に格納する表示制御ステップと、前記対話操作の入力によって前記活性化条件を満たす前記構成部品オブジェクトが存在するとき、該構成部品オブジェクトに対して設定されたアクションを実行する動作制御ステップと、を含む処理をコンピュータに実行させることを特徴とするプログラムである。
【００２０】
第３の発明によれば、汎用のコンピュータを第１の発明の電子チラシ表示装置として利用できるため、実用的である。
【発明の効果】
【００２１】
本発明により、ユーザの閲覧意図に応じた動作を、電子チラシの操作に連動して行うことを可能とし、これにより電子チラシの操作性を向上させることが可能な電子チラシ表示装置等を提供できる。
【図面の簡単な説明】
【００２２】
【図１】電子チラシ表示装置１のハードウエア構成を示すブロック図
【図２】電子チラシ３の表示倍率に応じた詳細情報コンテンツの変化の一例について説明する図
【図３】電子チラシ３の表示例
【図４】電子チラシ３について予め設定されている設定情報７の一例を示す図
【図５】電子チラシ表示処理の流れを説明するフローチャート
【発明を実施するための形態】
【００２３】
以下、図面に基づいて本発明の好適な実施形態について詳細に説明する。
【００２４】
まず、図１を参照して電子チラシ表示装置１の構成について説明する。
本実施の形態の電子チラシ表示装置１は、電子チラシ３を表示する機器であり、例えば、コンピュータ、デジタルテレビ、携帯電話、モバイル端末、通信機能搭載のゲーム機等の各種電子機器により実現される。電子チラシ表示装置１には電子チラシ閲覧ビューア（以下、ビューアという）がインストールされ、ネットワーク１９を介して電子チラシ配信サーバにアクセスして電子チラシ３に関するデータを取得し、電子チラシ３の閲覧に関する種々の処理を実行する。例えば、電子チラシ表示装置１は、電子チラシ３を表示したり、電子チラシ３の拡大・縮小表示を行ったり、電子チラシ３内の構成部品（文字ボックスや商品画像等）またはエリアに予め設定されている設定情報（リンク情報等）を読み取ったり、表示倍率に応じた動作を行ったりする。
【００２５】
本明細書では、電子チラシ３とは、ビューアの働きにより、ビューア画面上に表示されるチラシの画像を指すとともに、そのような画像を生成する一定の論理的構造を持ったデータ内容自体、または画像及びデータ内容自体がコンピュータのリソースとして指定できるもの（例えば、ファイル）を意味するものとする。
また、データとしての電子チラシ３（電子チラシデータ）は、チラシの文字ボックスや商品画像等といった構成部品オブジェクトの集まりである。構成部品オブジェクトとは、当該電子チラシ表示装置１の取扱対象（表示制御対象）であり、表示したときの形や大きさ等の定義やその他の様々な属性が各構成部品に付与されたものをいう。
また、電子チラシ３は、電子チラシ表示装置１の入力部１５を操作することにより生じる物理的な事象がハードウエア／ＯＳを通じてビューアに伝えられることにより表示画面上での何らかのイベント発生として感知された時のイベント処理を記述したプログラムコードを含む。
【００２６】
また、ビューアが扱うオブジェクトは上述の構成部品オブジェクトに加え、バナーオブジェクトを含むようにしてもよい。バナーオブジェクトは、ビューア画面上の電子チラシ３の構成部品とは別のエリア（バナー表示部３３）に表示され、その制御も構成部品オブジェクトの制御とは異なる。例えば、電子チラシ３に対して拡大表示操作が入力された場合でもバナーオブジェクトの表示サイズは変更されず、元の表示サイズを維持する。
また本発明において、電子チラシ３は、複数ページにわたって商品等の情報を掲載したデジタルカタログ等も含むものとする。
【００２７】
電子チラシ閲覧ビューア（ビューア）は、ＨＴＴＰ等のインターネットプロトコルに対応した専用のビューアプログラムでもよいし、Ｗｅｂブラウザと連携して対話的な閲覧機能を提供するソフトウエアモジュールで実現されるものでもよい。
【００２８】
図１に示すように、電子チラシ表示装置１の一実施の形態であるコンピュータは、例えば、制御部１１、記憶部１２、メディア入出力部１３、通信制御部１４、入力部１５、表示部１６、周辺機器Ｉ／Ｆ部１７等が、バス１８を介して接続されて構成される。また、電子チラシ表示装置１は、通信制御部１４を介してＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、インターネット等へ接続され、電子チラシ配信サーバ（不図示）との通信を行うことが可能となっている。
【００２９】
制御部１１は、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等で構成される。ＣＰＵは、記憶部１２、ＲＯＭ、記録媒体等に格納されるプログラムをＲＡＭ上のワークメモリ領域に呼び出して実行し、バス１８を介して接続された各装置を駆動制御し、電子チラシ表示装置１が行う処理を実現する。
制御部１１は、後述する電子チラシ表示処理（図５参照）を実行する。
ＲＯＭは、不揮発性メモリであり、コンピュータのブートプログラムやＢＩＯＳ等のプログラム、データ等を恒久的に保持している。
ＲＡＭは、揮発性メモリであり、記憶部１２、ＲＯＭ、記録媒体等からロードしたプログラム、データ等を一時的に保持するとともに、制御部１１が各種処理を行う為に使用するワークエリアを備える。
【００３０】
記憶部１２は、ＨＤＤ（ハードディスクドライブ）であり、制御部１１が実行するプログラム、プログラム実行に必要なデータ、ＯＳ（オペレーティングシステム）等が格納される。プログラムに関しては、ＯＳ（オペレーティングシステム）に相当する制御プログラムや、後述する電子チラシ表示処理を含む電子チラシ閲覧プログラム（ビューア）等のコンピュータに実行させるためのアプリケーションプログラムが格納されている。
【００３１】
メディア入出力部１３（ドライブ装置）は、データの入出力を行い、例えば、ＣＤドライブ（−ＲＯＭ、−Ｒ、−ＲＷ等）、ＤＶＤドライブ（−ＲＯＭ、−Ｒ、−ＲＷ等）、ＭＯドライブ等のメディア入出力装置を有する。
通信制御部１４は、通信制御装置、通信ポート等を有し、コンピュータとネットワーク１９間の通信を媒介する通信インタフェースであり、ネットワーク１９を介して、他のコンピュータ間との通信制御を行う。例えば、電子チラシ配信サーバや、ＥＣサイト管理サーバ等とネットワーク１９を介して通信接続される。
【００３２】
入力部１５は、データの入力を行い、例えば、キーボード、マウス等のポインティングデバイス、テンキー等の入力装置を有する。入力部１５を介して、コンピュータに対して、操作指示、動作指示、データ入力等を行うことができる。
表示部１６は、液晶パネル等のディスプレイ装置、ディスプレイ装置と連携してコンピュータのビデオ機能を実現するための論理回路等（ビデオＲＡＭ等と呼ばれる表示用メモリ（第１の記憶領域）やビデオアダプタ等を含む）を有する。
なお、上述の入力部１５には、表示部１６と一体的に構成されたタッチパネル式の操作入力部等も含むようにしてもよい。
【００３３】
また、本発明では、電子チラシ３への操作はビューア画面上の各部へのマウスクリック操作やマウスオーバー操作を含む対話操作により行われるものとする。タッチパネル式の操作入力部がビューア画面上に設けられている場合は、画面へのタッチ操作がマウスの操作に該当する。
【００３４】
周辺機器Ｉ／Ｆ（インタフェース）部１７は、コンピュータに周辺機器を接続させるためのポートであり、周辺機器Ｉ／Ｆ部１７を介してコンピュータは周辺機器とのデータの送受信を行う。周辺機器Ｉ／Ｆ部１７は、ＵＳＢやＩＥＥＥ１３９４やＲＳ−２３２Ｃ等で構成されており、通常複数の周辺機器Ｉ／Ｆを有する。周辺機器との接続形態は有線、無線を問わない。
バス１８は、各装置間の制御信号、データ信号等の授受を媒介する経路である。
【００３５】
ここで、図２及び図３を参照して本発明における電子チラシ３について説明する。電子チラシ３には、１または複数の商品についての商品画像、商品価格、申し込み番号等が掲載される他、イベント名や告知情報等が掲載される。これら情報内容を示す文字ボックスや商品画像等はそれぞれ構成部品オブジェクトとして取り扱われる。本実施の形態の電子チラシ３の一部または全部の構成部品オブジェクトには、後述する設定情報７が予め設定されている。設定情報７は、電子チラシ３のソースコードに付随して定義されており、ビューア画面には表示されない。
【００３６】
ここで、電子チラシ閲覧プログラム（ビューア）の基本動作について説明する。
表示すべき電子チラシが指定されビューアが起動されると、電子チラシ表示装置１の制御部１１のＣＰＵは所定の電子チラシサーバ等へアクセスし、電子チラシデータを読込む。次に、ＣＰＵは読込んだ電子チラシデータに基づいて電子チラシの各構成部品を構成部品オブジェクトとして定義し、制御部１１のＲＡＭ（第２の記憶領域）に格納する。制御部１１は、第２の記憶領域に格納された構成部品オブジェクトを予め設定された情報に従った表示状態で表示するための画面イメージデータを作成して、第１の記憶領域（表示用メモリ；ビデオＲＡＭ等）に格納する。第１の記憶領域に格納された画面イメージデータは、順次ビューア画面内のチラシ表示部３１（図３参照）に表示される。
また、電子チラシ３は、ユーザの操作に従って、所定の倍率範囲（倍率レンジ）内で拡大または縮小表示されるが、このように入力部１５からチラシの表示状態を変化させる操作が入力されると、制御部１１は、入力された操作指示に従った表示状態で上述の構成部品オブジェクトを表示するよう、画面イメージデータを作成し（再描画し）、第１の記憶領域（表示用メモリ、ビデオＲＡＭ等）に格納する。格納された新しい画面イメージデータは、順次ビューア画面内のチラシ表示部３１（図３参照）に出力され、ビューア画面の表示内容が更新される。
【００３７】
図２の例では、電子チラシ３内の１商品を表示画面全体に表示させる表示倍率を１００％とし、電子チラシ３全体を表示画面全体に表示させる表示倍率を２５％とした例を示している。ただし、拡大・縮小率はこの例に限定されず、その他の倍率としてもよい。また、２５％より小さく縮小表示できるようにしてもよいし、１００％より大きく拡大表示できるようにしてもよい。
【００３８】
また、図３に示すように、電子チラシ３のビューア画面は、上述の電子チラシ３を表示するチラシ表示部３１と、及びユーザからの対話的な操作が入力される倍率操作入力部３５を備える。また、電子チラシ３と関連する情報をバナー形式に表示するバナー表示部３３を有するようにしてもよい。チラシ表示部３１には、電子チラシ３の紙面（ここでいう紙面とは商品掲載面をいう）が倍率操作入力部３５により指定された表示倍率で表示される。また、バナー表示部３３には、店舗や商品の広告や特別に掲載したい情報へのリンク情報が埋め込まれたアイコンが一つまたは複数表示される。なお、バナー表示部３３は、チラシ表示部３１の表示制御とは異なる制御で表示動作が行われる。すなわち、本発明のビューアで取り扱う対象は、チラシ表示部３１に表示される構成部品オブジェクトと、バナー表示部３３に表示されるバナーオブジェクトとを含むが、バナーオブジェクトは、上述の構成部品オブジェクトの記憶領域とは異なる記憶領域（第３の記憶領域）に格納されることとなる。制御部１１は、このバナーオブジェクトからバナーイメージを作成して、上述の第１の記憶領域（表示用メモリ；ビデオＲＡＭ等）に格納されている画面イメージに重畳することで、バナーをビューア画面内に表示させる。
このバナー表示部３３に表示されるアイコン（バナーオブジェクト）をマウス等で指示すると制御部１１は、バナーアクションが開始される。例えば、バナーオブジェクトに設定されているリンク先の情報を読み出し、ビューア画面とは別のウィンドウに表示したり、リンクされたバナーを取得してブラウザの別のウィンドウに表示したりする。また、バナー表示部３３には、後述する処理によって、電子チラシ３の表示倍率に応じた所定の詳細情報コンテンツが表示されることがある。
【００３９】
電子チラシ３の表示倍率変更操作の入力は、例えば、図３に示すようにビューア画面内に表示されるユーザインターフェース（倍率操作入力部３５）を利用してもよいし、電子チラシ表示装置１がタッチパネル式の入力部を有する場合は、タッチパネルのピンチ操作により行われるようにしてもよい。その他、キーボードからの指定倍率の数値入力等としてもよい。
【００４０】
本実施の形態において、電子チラシデータは電子チラシ３の構成部品オブジェクトのいくつかについて、構成部品オブジェクトに付帯して引き起こされるアクションの内容と該アクションの動作が開始されるための動作開始条件とを設定情報７として有する。電子チラシ表示装置１は、予め定められた表示状態で各構成部品オブジェクトを表示する。また、表示中の電子チラシに対する対話操作が入力されると、構成部品オブジェクトの表示状態を更新する。また、いずれかの構成部品オブジェクトについて、上記設定情報７に設定されている表示倍率の条件と動作開始条件が満たされた場合は、対応付けて設定されているアクションの内容に従ったアクションを実行する。
【００４１】
動作開始条件には、表示条件及び対話操作状態の条件が含まれる。対話操作状態の条件としては、（１）設定情報７として条件設定されたいずれかの構成部品オブジェクトが表示倍率レンジの条件を満たす状態で表示中または新たに表示されたという状態、（２）設定情報７として条件設定されたいずれかの構成部品オブジェクトに対して表示倍率レンジの条件を満たす状態でマウスクリックされた状態、（３）設定情報７として条件設定されたいずれかの構成部品オブジェクトに対して表示倍率レンジの条件を満たす状態でマウスオーバーされた状態等が含まれる。マウスオーバー操作とは、マウスポインタが構成備品オブジェクトのエリア内に入ることである。また、タッチパネル式の入力部を利用する場合は、手指やタッチペンによるタッチ操作がクリック操作に対応した操作となる。
また、上述のアクションの内容には、特定のファイルのオープン、特定のプログラムの実行、特定のインターネットリソースの要求及び表示、或いは新たな構成部品オブジェクトの追加、特定の構成部品オブジェクトの削除、特定の構成部品オブジェクトの有効化、無効化、属性値の変更等のアクションのうちいずれかのアクションが含まれる。
構成部品オブジェクトの「追加」とはそれまで存在しなかった構成部品オブジェクトが出現することであり、「削除」とは構成部品オブジェクトが削除されることであり、「有効化」とはそれまで表示されなかった構成部品オブジェクトが表示されることであり、「無効化」とはそれまで表示されていた構成部品オブジェクトが非表示とされる。「属性値の変更」とは、該オブジェクトの属性の一つである商品画像のリンク先情報の切替え等、属性値の一部または全部を変更することである。
【００４２】
例えば、ユーザの操作により電子チラシ３のチラシ表示部３１の表示倍率が変更された結果、ある構成部品オブジェクトが表示倍率レンジの条件を満たす状態で表示され、或いは、これに加えて入力操作等により動作開始条件が満たされると、電子チラシ表示装置１は該当するアクションとして、指定されたファイルを開いたり、指定されたプログラムを実行したり、指定されたインターネットリソースの要求及び表示を行ったりする。ファイルやインターネットリソースの内容等は別ウィンドウで表示されてもよいし、表示されている電子チラシ３の商品画像枠内等に表示されてもよい。或いは、アクションとして、新たな構成部品オブジェクトを追加したり、特定の構成部品オブジェクトを削除したり、特定の構成部品オブジェクトを有効化したり、無効化したり、属性値を変更したりしてもよい。
【００４３】
また、アクションとして、新たなバナーオブジェクトの追加、特定のバナーオブジェクトの消去、特定のバナーオブジェクトの有効化、或いは特定のバナーオブジェクトの無効化等を含むものとしてもよい。
【００４４】
例えば、図２の例では、電子チラシ３が２５％の倍率で表示されると、電子チラシ３のチラシ面全体がビューア画面内に表示される大きさで表示される。このとき、チラシ面以外の詳細情報コンテンツは表示されず、電子チラシ３の初期表示情報が表示された状態となる。
これは、縮小表示されている場合はチラシ全体を眺めたいというユーザの意図が反映された動作である。
【００４５】
また、５０％の倍率に変更されると、電子チラシ３のチラシ面の一部（チラシ面の半分程度）が拡大されてビューア画面のチラシ表示部３１に表示され、更に７５％の倍率に変更されると、電子チラシ３内の１ジャンル（例えば、「生鮮食品」、「飲料」、「日用品」等の商品ジャンル等）が拡大されてチラシ表示部３１に表示される。このとき、表示倍率（５０％、７５％等）の変更に連動して、例えばバナー表示部３３に表示される詳細情報コンテンツが切り替えられる。例えば図３（ａ）に示すように、マーク３７で示す構成部品オブジェクトが、５０％の表示倍率に変更されて表示された場合に、図３（ｂ）に示すように、バナー表示部３３の表示内容を、マーク３７内の商品に関連する情報を示すアイコンに切り替える。バナー表示部３３に表示されるバナーイメージ（商品関連情報）には、商品詳細情報を表示させるためのリンク情報が埋め込まれ（設定され）、ユーザの操作に従ってリンク情報に基づいて商品詳細情報を読み出し、別ウィンドウに表示させることも可能となっている。
【００４６】
また、図３（ｃ）に示すように、更に電子チラシ３が拡大され、１００％の倍率で表示されると、１商品が表示画面全体に表示される大きさで表示される。このとき、電子チラシ表示装置１は、詳細情報コンテンツとしてチラシ表示部３１に表示中の商品に関する動画３９を読み出し、再生する。
【００４７】
このような表示倍率に応じた表示情報の切り替えを行うため、電子チラシ３には設定情報７が予め設定されている。
図４は、電子チラシ３に予め定義される設定情報７の一例である。
【００４８】
設定情報７（アクション設定情報）には、電子チラシ３の構成部品オブジェクトを示すエリア（座標７１，７２）に対して、表示倍率レンジ７３と当該表示倍率レンジ７３の範囲で該当するエリア（構成部品オブジェクト）が表示される際に行う動作（アクション）７５と、そのアクション７５が開始されるための動作開始条件７４と、アクション７５の指定するコンテンツ（ファイル、プログラム、インターネットリソース等）と、が対応付けて設定されている。
本発明では、表示倍率レンジ７３に関する条件と動作開始条件７４とを組み合わせて、アクション７５を活性化するための活性化条件が設定されるものとしているが、設定情報７のＮｏ．「１」やＮｏ．「３」のように、倍率レンジ７３に関する条件として全倍率が指定される場合も含む。
設定情報７は電子チラシ３の全ての構成部品オブジェクトに対して設定される必要はなく、一部の構成部品オブジェクトに対して設定情報７が設定されるようにしてもよい。
【００４９】
エリアは、例えば、ビューア画面内の２点の座標７１，７２で決定される矩形エリアとする。図４の設定情報７のＮｏ．「１」に設定されるエリアは、始点座標（４００，３００）と終点座標（５００，４００）で定義される矩形エリアであり、設定Ｎｏ．「２」に設定されるエリアは、始点座標（２００，２５０）と終点座標（３５０，３００）で定義される矩形エリアである。
【００５０】
表示倍率レンジ７３には倍率範囲が設定される。例えば、設定Ｎｏ．「２」については「７５」％から「２００」％の倍率範囲が設定される。設定Ｎｏ．「４」については「２５」％から「７５」％の倍率範囲が設定される。設定Ｎｏ．「５」については「７６」％から「２００」％の倍率範囲が設定される。設定Ｎｏ．「４」と設定Ｎｏ．「５」では、同一エリアについて異なる倍率範囲が設定されている。
表示倍率レンジ７３が設定されていないエリアについては、すべての倍率範囲に適用されるものとする。すなわち、表示倍率レンジ７３が設定されていないエリアはどの表示倍率で表示されても同一の動作（アクション）が行われる。
【００５１】
動作開始条件７４は、アクション７５が開始されるための条件であり、表示状態の条件または対話操作に関する条件が設定されている。表示状態の条件とは、アクション７５が設定されているいずれかの構成部品オブジェクトが表示中の状態であるか、または新たに表示された状態となる、という意味である。また、対話操作に関する条件は、アクション７５が設定されているいずれかの構成部品オブジェクトが「マウスクリック」、「マウスオーバー」等の対話操作が入力された状態となる、という意味である。なお、この例の他、種々の動作開始条件７４が設定されるようにしてもよい。
【００５２】
動作（アクション）７５は、構成部品オブジェクト（エリア７１，７２）に対応付けられた表示倍率で電子チラシ３が表示され、動作開始条件７４が満たされた場合に電子チラシ表示装置１が実行する動作である。アクション７５の例としては、例えば、詳細画像の表示（特定ファイルのオープン、特定プログラムの実行、またはインターネットリソースの要求及び表示）や新たなバナーオブジェクトの追加、特定のバナーオブジェクトの消去、特定のバナーオブジェクトの有効化、及び特定のバナーオブジェクトの無効化（バナー表示部３３へのバナー表示や消去）、新たな構成部品オブジェクトの追加、特定の構成部品オブジェクトの削除、特定の構成部品オブジェクトの有効化、無効化、属性値の変更等が設定される。属性値の変更の一例としては、該当する構成部品オブジェクトに表示される情報（商品画像）の切り替え等が挙げられる。
【００５３】
コンテンツ７６は、構成部品オブジェクトに関連付けられた詳細情報コンテンツであり、静止画データ、動画データ、バナーのソースコード、オブジェクトＩＤ、インターネットリソースのＵＲＬ等といったリンク先情報が格納されている。
【００５４】
設定情報７は、制御部１１が電子チラシ３のデータを読み込む際に読み込まれる。制御部１１は、構成部品オブジェクトの表示倍率の条件及び動作開始条件７４を含む活性化条件を設定情報７に基づいて判定し、これらの活性化条件を満たすと対応付けられて設定されたアクション７５を実行する。
【００５５】
次に、図５を参照して、電子チラシ表示装置１の動作について説明する。
図５は、電子チラシ表示処理の流れを説明するフローチャートである。
【００５６】
電子チラシ表示装置１は、ネットワーク１９を介して外部の電子チラシ配信サーバにアクセスし、電子チラシデータを取得する。
電子チラシ表示装置１の制御部１１は、電子チラシデータを取得すると、ビューアを起動し、取得した電子チラシデータを読み込んで、電子チラシ３の構成部品を構成部品オブジェクトとして定義する初期化処理を行う（ステップＳ１）。初期化処理後、制御部１１は、予め設定されている属性や表示条件に従って、画面イメージデータを作成し、表示用メモリに格納するとともに、電子チラシ３を表示する（ステップＳ２）。
【００５７】
電子チラシ３がビューア画面に表示されている状態で、制御部１１はユーザからのイベントの入力を受け付ける（ステップＳ３）。例えば、ビューア画面内の倍率操作入力部３５が操作されると（ステップＳ２；Ｙｅｓ）、制御部１１は操作に従った表示倍率で電子チラシ３を表示するための画面イメージデータを再描画し、表示を更新する（ステップＳ３）。また、マウス操作や画面へのタッチ操作も入力イベントとして受け付ける。
【００５８】
また、制御部１１は、アクション７５を活性化するための活性化条件、すなわち電子チラシ３に表示される各構成部品オブジェクトの表示倍率に関する条件（倍率レンジ７３）と動作開始条件７４とを監視しており、表示倍率に関する条件（倍率レンジ７３）及び動作開始条件７４が満たされた場合は（ステップＳ４；Ｙｅｓ）、条件を満たした構成部品オブジェクトに対応付けて設定されている動作（アクション）７５を実行する（ステップＳ５）。制御部１１は、動作（アクション）７５に従って、画面イメージデータを再描画し（ステップＳ６）、表示する（ステップＳ２へ）。
【００５９】
例えば、図４の設定情報７のＮｏ．「２」に設定されている構成部品オブジェクト（座標（２００，２５０）、座標（３５０，３００）で指定される構成部品オブジェクト）が倍率「７５−２００（%）」の状態で表示されるものとする。この構成部品オブジェクトについて設定されている動作開始条件は「表示」であるので、倍率「７５−２００（%）」の状態で表示されると、設定されているアクション７５が実行される。アクション７５の内容は「詳細画像」であり、詳細画像として指定されるコンテンツ７６のファイル名「ｙｙｙ．ｊｐｇ」が指定されている。制御部１１は、ファイル「ｙｙｙ．ｊｐｇ」を開くためのプログラムを実行し、ファイルを開いて、別ウィンドウ等に表示する。
また、例えば、図４の設定情報７のＮｏ．「１」に設定されている構成部品オブジェクト（座標（４００，３００）、座標（５００，４００）で指定される構成部品オブジェクト）については倍率は指定されず、動作開始条件として「マウスオーバー」が指定されている。このため、いずれかの倍率でこのエリア（構成部品オブジェクト）が表示され、マウスオーバー操作が入力されると、設定されているアクション７５（詳細画像のファイル「ｘｘｘ．ｊｐｇ」の表示）が実行される。また、例えば、図４の設定情報７のＮｏ．「４」に設定されている構成部品オブジェクト（座標（１００，２００）、座標（１５０，２５０）で指定される構成部品オブジェクト）は倍率レンジ７３として「２５−７５（%）」が指定され、動作開始条件として「マウスクリック」が指定されている。このため、該当する構成部品オブジェクトが「２５−７５（%）」の倍率範囲内の倍率で表示された状態でマウスクリック操作が入力されると、設定されているアクション７５（バナー表示部３３への新たなバナーイメージの追加表示）が実行される。バナーオブジェクトとして、「ｚｚｚ．ｘｍｌ」というファイルが指定されている。新たなバナーオブジェクトを追加する場合には、指定されたバナーオブジェクトからバナーイメージを作成して、電子チラシ３の画面イメージデータにバナーイメージを重畳した画面イメージを再描画し、表示する。
【００６０】
また例えば、図４の設定情報７のＮｏ．「６」に設定されている構成部品オブジェクト（座標（５０，１００）、座標（５０，１５０）で指定される構成部品オブジェクト）は倍率レンジ７３として「１５０−（%）」が指定され、動作開始条件として「表示」が指定されている。このため、該当する構成部品オブジェクトが「１５０%以上」の倍率で表示されると、設定されているアクション７５（構成部品オブジェクト「Ａ０００１」の有効化）が実行される。
また例えば、図４の設定情報７のＮｏ．「１０」に設定されている構成部品オブジェクト（座標（３００，５０）、座標（３５０，１００）で指定される構成部品オブジェクト）は倍率レンジ７３として「１５０−（%）」が指定され、動作開始条件として「マウスクリック」が指定されている。このため、該当する構成部品オブジェクトが「１５０%以上」の倍率で表示された状態でマウスクリック操作されると、設定されているアクション７５（指定ＵＲＬへのデータ要求及び表示）が実行される。
【００６１】
なお、ステップＳ４において、表示倍率に関する条件や動作開始条件が満たされた場合に（ステップＳ４；Ｙｅｓ）、制御部１１は、設定動作（アクション）７５を行う前に、そのエリアが詳細情報の設定されたエリアであることをユーザに明示するようにしてもよい。この場合、制御部１１は、指定エリアに対して、例えば吹出しを該エリアに表示したり、該エリアをマーク３７で囲む等のマーク表示を行ったり、エリアの色を変化させて表示したりすることにより、詳細情報設定エリアがあることを表示してもよい。また、このような表示形式の変化に限らず、動作音を再生したり、上述の表示形式の変化と動作音とを組み合わせてユーザへの報知を行うようにしてもよい。
【００６２】
指定エリアに対する吹出し表示、マーク表示、色変化表示、及び動作音再生のうち、少なくともいずれかひとつ以上を含む動作を行う場合には、指定されたエリアが詳細情報の設定されたエリアであることをユーザに明示できるため、電子チラシ３を閲覧するユーザは、いずれのエリアに詳細情報が設定されているかを確認した上で、必要な詳細情報を閲覧するためのユーザの操作を促すことが可能となる。
【００６３】
一方、指定エリアに対する吹出し表示、マーク表示、色変化表示、及び動作音再生等のユーザへの明示動作を行わずに、エリア指定操作（マウスクリック、マウスオーバー等）入力後、すぐに指定エリアに対応付けて設定されているアクション７５（バナー表示、詳細画像表示、動画表示等）を行う場合には、チラシの操作に連動した円滑かつ動的な表示が行われることとなる。
【００６４】
また、動作開始条件にユーザからの操作入力を含まず、ステップＳ２（電子チラシ３の表示または再描画後の表示）で表示倍率に応じた表示を行うと直ちにステップＳ５へ移行し、倍率レンジ７３に対応付けて設定されているアクション７３を行うようにしてもよい。この場合は、ユーザの表示倍率変更操作に連動して直ちに設定されたアクション７５が行われるため、チラシの表示倍率に連動したより円滑かつ動的な表示がビューアにより能動的に行われることとなる。
【００６５】
また、ステップＳ４において、動作開始条件７４を満たす操作が入力されず（ステップＳ４；Ｎｏ）、バナーに対する操作が入力された場合は、操作に従ったバナーアクションを実行する（ステップＳ８）。バナーアクションとは、バナーオブジェクトがマウスクリックされた際に行う動作であり、例えば、別ウィンドウでの動画再生、別ウィンドウでの詳細画像表示、ブラウザの別ウィンドウでのリンクバナー表示等のアクションを含む。
【００６６】
ステップＳ３において電子チラシ表示の終了指示が入力されると、一連の電子チラシ表示処理を終了する。
【００６７】
以上説明したように、本実施の形態では、電子チラシ３は、その構成部品オブジェクト（座標７１，７２で指定されるエリア）に、表示倍率レンジ７３の条件と、動作開始条件７４と、条件を満たしたときに実行される動作（アクション７５）とを対応付けた設定情報７を有する。そして、電子チラシ３のビューア（電子チラシ表示装置１）において、表示倍率を変更する操作が入力されると、電子チラシ表示装置１の制御部１１は入力された操作に応じて電子チラシ３の表示倍率を変更して表示し、その表示倍率と動作開始条件を満たしたときに上述の設定情報７に設定された動作（アクション７５）を実行する。
【００６８】
従って、電子チラシ３の表示倍率変更操作に連動して異なる動作を行わせることが可能となる。すなわち、ユーザにより電子チラシ３の拡大・縮小操作が行われると、それに連動して提示する情報を変化させることができる。従って、商品を詳しく見るために特定の商品（構成部品）やエリアを拡大表示させる場合と、電子チラシ３の紙面全体を眺めるために縮小表示される場合とで、異なる動作を実行させることが可能となる。従来の電子チラシ表示装置であれば、ひとつの構成部品またはエリアに対してはその表示倍率とは関係なく特定の連携情報（動作）が対応付けられていたが、本発明では、その構成部品またはエリアの表示倍率によって引き出される連携情報（動作）が変化するため、ユーザの閲覧意図に応じた円滑な動作切り替えを行うことが可能となり、操作性が向上する。また、より動的な表示が可能となるため興趣あふれる電子チラシ３を提供でき、販促効果の向上が期待できる。
【００６９】
また、上述の設定情報７には、一つの構成部品オブジェクトに対して条件別に複数のアクションを設定すれば、同一の構成部品オブジェクトであっても、拡大表示される場合と、縮小表示される場合とで異なるアクションを実行できるようになる。これにより、ユーザの電子チラシ３の閲覧意図に応じた動作を、紙面の表示倍率変更操作に連動して円滑に行うことが可能となる。また、同一の構成部品またはエリアに対して複数の動作を連携させることが可能となるため、一つの電子チラシ３から連携される情報量が多様となり、より動的で興趣あふれる電子チラシ３を提供できる。
【００７０】
また、設定される動作（アクション）としては、詳細画像や詳細動画等、特定のファイルのオープン、特定のプログラムの実行、または特定のインターネットリソースの要求及び表示、或いは、新たな構成部品オブジェクトの追加、特定の構成部品オブジェクトの削除、特定の構成部品オブジェクトの有効化、無効化、属性値の変更、新たなバナーオブジェクトの追加、特定のバナーオブジェクトの消去、特定のバナーオブジェクトの有効化、及び特定のバナーオブジェクトの無効化を含むようにすれば、電子チラシ３の表示倍率に応じて異なる情報を適切な表示形態で表示できる。特に、ある商品（構成部品またはエリア）が特定の表示倍率で表示された場合に、同時にバナーオブジェクトを新たに追加し、表示する場合には、電子チラシ３の紙面情報（例えば、商品画像や価格）と該当商品についての詳細情報（例えば、商品を利用した料理のレシピやメーカ提供情報等の付随的な情報）とを同時に閲覧しやすく、情報閲覧性がよくなるため、好適である。
【００７１】
また、制御部１１は、電子チラシ３の構成部品オブジェクトの表示倍率が、設定情報７に設定された倍率レンジ７３の範囲内であると判定された場合に、構成部品オブジェクトが詳細情報の設定されたエリアであることを、吹出し表示、マーク表示、色変化表示、及び動作音再生等によってユーザに明示するようにすれば、電子チラシ３を閲覧するユーザは、いずれの構成部品またはエリアに詳細情報が設定されているかを確認した上で、必要な詳細情報を閲覧できる。
【００７２】
また、制御部１１は、電子チラシ３の構成部品オブジェクトの表示倍率が、設情報７に設定された表示倍率情報の範囲内であると判定された場合に、直ちに構成部品またはエリアの表示倍率に応じて設定情報７に設定された動作を実行するようにすれば、電子チラシ３を閲覧するユーザが表示倍率変更操作を行うだけで円滑かつ能動的に所定の動作を実行できる。ひいては、様々な情報をユーザに提示でき、広告・宣伝効果の向上に寄与できる。
また、制御部１１は、電子チラシ３の構成部品オブジェクトの表示倍率が、設情報７に設定された表示倍率情報の範囲内であり、更にマウスクリック操作やマウスオーバー操作等の動作開始のトリガとして設定された動作開始条件を満たしたときに、構成部品またはエリアの表示倍率に応じて設定情報７に設定された動作を実行するようにすれば、ユーザの要望や店舗側の広告意図に応じて電子チラシ３の表示状態を柔軟に変更できる。ひいては、様々な情報をユーザに提示でき、広告・宣伝効果の向上に寄与できる。
【００７３】
以上、添付図面を参照して、本発明に係る電子チラシ表示装置等の好適な実施形態について説明したが、本発明は係る例に限定されない。
例えば、図２に示す表示倍率と詳細情報との対応関係は一例であり、別の対応関係としてもよい。また、詳細情報の設定されるエリアは矩形エリアを設定する例を示したが、矩形に限定されず、例えば、あるジャンルの複数の商品画像全体を１つのエリアとして詳細情報に対応付けるようにしてもよい。その他、当業者であれば、本願で開示した技術的思想の範疇内において、各種の変更例または修正例に想到し得ることは明らかであり、それらについても当然に本発明の技術的範囲に属するものと了解される。
【符号の説明】
【００７４】
１・・・・・・電子チラシ表示装置
１１・・・・・制御部
１２・・・・・記憶部
１３・・・・・メディア入出力部
１４・・・・・通信制御部
１５・・・・・入力部
１６・・・・・表示部
１７・・・・・周辺機器Ｉ／Ｆ部
１８・・・・・バス
１９・・・・・ネットワーク
３・・・・・・電子チラシ
３１・・・・・チラシ表示部
３３・・・・・バナー表示部
３５・・・・・倍率操作入力部
３７・・・・・マーク（詳細情報設定エリア明示情報）
３９・・・・・動画
７・・・・・・設定情報
【図１】
0005552992.tif 000002
【図２】
0005552992.tif 000003
【図３】
0005552992.tif 000004
【図４】
0005552992.tif 000005
【図５】
0005552992.tif 000006